【手続補正書】
【提出日】平成17年5月31日(2005.5.31)
【手続補正１】
【補正対象書類名】明細書
【補正対象項目名】０００９
【補正方法】変更
【補正の内容】
【０００９】
元畦及び圃場を耕耘して畦状に盛り上げるロータリ耕耘装置からなる前処理体７、及びこの前処理体７の後方に、前処理体７により耕耘された土壌を畦に成形する多角円錐状ドラムからなる整畦体８が、伝動フレーム２にオフセット用平行リンク９を介して支持され、伝動・支持フレーム１０と一体的に連繋された伝動・支持フレーム６により連結支持されている。そして、トラクタから入力軸３に受けた動力は、伝動フレーム２からＷジョイント（広角ジョイント）付きのスプライン伝動軸１１−伝動・支持フレーム１０−伝動・支持フレーム６を介して前処理体７及び整畦体８に伝達され、それぞれ所定方向に回転させて作業を行うようにしている。
【手続補正２】
【補正対象書類名】明細書
【補正対象項目名】００１０
【補正方法】変更
【補正の内容】
【００１０】
前処理体７は、その回転軸１２の軸心を機体の進行方向と平行に配設し、この回転軸１２の軸周に複数の耕耘爪１３を取付けて、元畦の一部及び圃場を耕耘して元畦に対して畦状に盛り上げるようにしている。前処理体７により畦状に盛り上げられた土壌は整畦体８が回転しながら畦状に成形する。整畦体８には上下調整装置１５が設けられていて、上下調節が可能である。
【手続補正３】
【補正対象書類名】明細書
【補正対象項目名】００１１
【補正方法】変更
【補正の内容】
【００１１】
前処理体７はカバー１６により覆われており、このカバー１６は左右調整装置１４により左右にスライド可能である。また、前処理体７の外側部はサイドカバー１７により覆われるが、このサイドカバー１７は自動的に上下動するように支持されている。また、サイドカバー１７の下部にはゴム板のような弾性板が取付けられていて、畦土に接したとき弾性変形し、復帰するフレキシブルな構造となっている。
【手続補正４】
【補正対象書類名】明細書
【補正対象項目名】００１２
【補正方法】変更
【補正の内容】
【００１２】
上記整畦体８は、伝動フレーム６ａ終端部から機体側方に向け突出した図示しない回転軸に対して、図５及び図６に示すように、その基部８ａをドラムボス１８を介して複数（図面では４個）の固定ボルト１９により取付けられる。整畦体基部８ａのドラムボス１８への取付け面と、ドラムボス１８の整畦体８を取付けるドラム取付け面とは、回転軸に対して互いに偏心して設けている。そして、整畦体８の固定孔２０をドラムボス１８に対して周方向に移動させて固定ボルト１９により固定することにより、整畦体８の偏心量（振れ幅）Ａ，ａを変更可能としている。
【手続補正５】
【補正対象書類名】明細書
【補正対象項目名】００１７
【補正方法】変更
【補正の内容】
【００１７】
このような構成の畦塗り機１においては、前処理体７及び整畦体８が伝動・支持フレーム６により支持され、トラクタから入力軸３に受けた動力は、伝動フレーム２からＷジョイント（広角ジョイント）付きのスプライン伝動軸１１−伝動・支持フレーム１０−伝動・支持フレーム６を介して前処理体７及び整畦体８に伝達される。前処理体７では元畦の一部及び圃場を耕耘して元畦に対して畦状に盛り上げ、その耕耘された土壌を多角円錐状ドラム８の多角の稜線と平面部が偏心しながら回転して畦法面を叩いて畦に成形する。
【手続補正６】
【補正対象書類名】明細書
【補正対象項目名】００１８
【補正方法】変更
【補正の内容】
【００１８】
多角円錐状ドラム８では、その基部８ａがドラムボス１８に対して固定ボルト１９により取付けられているが、整畦体基部８ａのドラムボス１８への取付け面をドラムボス１８のドラム取付け面に対して周方向に移動させて固定ボルト１９により固定することにより、整畦体８の偏心量（振れ幅）Ａ，ａを所定範囲で（実施例では３段階に）変更することができる。
【手続補正７】
【補正対象書類名】明細書
【補正対象項目名】００１９
【補正方法】変更
【補正の内容】
【００１９】
そして、前処理体７により、元畦及び圃場が耕耘されて畦状に盛り上げる土壌の土質、水分等により、多角円錐状ドラム８の振れ幅をＡ〜ａの範囲で変更して土質や土壌水分に合った適切な整畦作業が行われる。また、圃場の形状や土壌の状態などに応じて前処理体７及び整畦体８をオフセットさせた方がよい場合には、オフセット量調節用シリンダ機構２２のシリンダ２２ａ、ロッド２２ｂ、ロックピン２２ｃ、ストッパ用ピン２２ｄを操作してオフセット量を調節し、適切な状態で整畦作業を行うことができる。
【手続補正８】
【補正対象書類名】明細書
【補正対象項目名】００２０
【補正方法】変更
【補正の内容】
【００２０】
図８ないし図１１に示す本発明の他の実施例のものは、前処理体７及び整畦体８をオフセットさせないものであり、前処理体７及び整畦体８は伝動フレーム２ａに直接接続した伝動フレーム６ｂにより駆動するようにしている。なお、整畦体８の上下調節は、上下調整装置１５により行われる。
【手続補正９】
【補正対象書類名】明細書
【補正対象項目名】００２１
【補正方法】変更
【補正の内容】
【００２１】
この実施例においては、オフセットができないだけで、前記実施例と同様の作業を行う。この実施例ではオフセット装置や伝動・支持フレームがない分、前記実施例のものより軽量に構成され、小型のトラクタで作業が可能である。
【手続補正１０】
【補正対象書類名】明細書
【補正対象項目名】符号の説明
【補正方法】変更
【補正の内容】
【符号の説明】
１    畦塗り機
２，２ａ  伝動フレーム
３    入力軸
４    トップリンク連結部
５    ロアリンク連結部
６    伝動・支持フレーム  ６ａ，６ｂ  伝動フレーム
７    前処理体
８    整畦体（多角円錐状ドラム）  ８ａ  整畦体の基部  ８ｂ  水平筒状体
９    オフセット用平行リンク
１０  伝動・支持フレーム
１１  Ｗジョイント（広角ジョイント）付きのスプライン伝動軸
１２  回転軸
１３  耕耘爪
１４，１４ａ  左右調整装置
１５  上下調整装置
１６  前処理体のカバー
１７  サイドカバー
１８  ドラムボス
１９  固定ボルト
２０  固定孔
２１  整畦体のカバー
２２  オフセット量調節用シリンダ機構  ２２ａ  シリンダ  ２２ｂ  ロッド
２２ｃ  ロックピン  ２２ｄ  ストッパ用ピン
２３  ゲージホイール
２４  上下調節支持部
２５，２７  スタンド
２６  スタンド支持部
２８  前後水平水準器
２９  左右水平水準器
Ａ，ａ  整畦体の偏心量（振れ量）
【手続補正１１】
【補正対象書類名】図面
【補正対象項目名】図１
【補正方法】変更
【補正の内容】
【図１】
2000041406.tif 000001
【手続補正１２】
【補正対象書類名】図面
【補正対象項目名】図２
【補正方法】変更
【補正の内容】
【図２】
2000041406.tif 000002
【手続補正１３】
【補正対象書類名】図面
【補正対象項目名】図７
【補正方法】変更
【補正の内容】
【図７】
2000041406.tif 000003
【手続補正１４】
【補正対象書類名】図面
【補正対象項目名】図８
【補正方法】変更
【補正の内容】
【図８】
2000041406.tif 000004
【手続補正１５】
【補正対象書類名】図面
【補正対象項目名】図９
【補正方法】変更
【補正の内容】
【図９】
2000041406.tif 000005